(57)【特許請求の範囲】
【請求項１】
電気絶縁性基板上に電極、スペーサーおよびカバーが順次形成されたバイオセンサーにおいて、
電気絶縁性基板部分およびカバー部分が、１枚の軟質シートを、基板形成部およびカバー形成部の間を繋ぐ軟質部を残したうえで、該軟質部以外の基板形成部分およびカバー形成部分について硬化させることにより形成されることを特徴とするバイオセンサー。
【請求項２】
さらにバイオセンサー内のカバー表面上に電極が形成された請求項１記載のバイオセンサー。
【請求項３】
電気絶縁性基板部分およびカバー部分を繋ぐ軟質部において、電気絶縁性基板およびカバーを電極がバイオセンサー内に配置される状態で折り畳むことにより形成される請求項１または２記載のバイオセンサー。
【請求項４】
軟質シートの材料が、光硬化型材料または熱硬化型材料である請求項１または２記載のバイオセンサー。
【請求項５】
軟質シートの材料が、ビニルエステル、ポリイミドまたはポリエチレンである請求項４記載のバイオセンサー。
【請求項６】
電気絶縁性基板およびカバーを繋いでいる軟質部に、測定対象試料を導入するための試料導入口が設けられている請求項１または２記載のバイオセンサー。
【請求項７】
請求項１記載のバイオセンサーの電気絶縁性基板およびカバーの間に、さらに穿刺針が固定された針一体型バイオセンサー。
【請求項８】
穿刺針の固定が、接着剤によって行われる請求項７記載の針一体型バイオセンサー。
【請求項９】
被検体への穿刺時に、穿刺針が電気絶縁性基板およびカバーを繋ぐ軟質部を突き破り、被検体の皮膚を突き刺した後、軟質シート材料の復元力によって穿刺針が被検体の皮膚から引き戻され、そのときに生じた軟質部の貫通穴を通じて体液がバイオセンサーの試料搬送路へと導入されることを特徴とする請求項７または８記載の針一体型バイオセンサー。
【請求項１０】
電気絶縁性基板およびカバーの間をつなぐ軟質部上に、採血導入ガイドを設けた請求項７または８記載の針一体型バイオセンサー。
【請求項１１】
バイオセンサー内部を陰圧または真空に保ち、穿刺採血時にはその吸引力を利用して採血を行う請求項７または８記載の針一体型バイオセンサー。
【請求項１２】
請求項１または２記載のバイオセンサーが、軟質シートの電気絶縁性基板部分およびカバー部分を硬化させた後、電極およびスペーサーを形成し、電極をバイオセンサー内部に収めるように、電気絶縁性基板およびカバーを繋ぐ軟質部で電気絶縁性基板およびカバーを折畳むことにより製造されるバイオセンサーの製造法。
【請求項１３】
さらに接着剤層上に穿刺針が固定配置される請求項１２記載の針一体型バイオセンサーの製造法。
【発明の詳細な説明】
【技術分野】
【０００１】
本発明は、バイオセンサーおよびその製造法に関する。さらに詳しくは、一枚の電気絶縁性材料から形成されるバイオセンサーおよびその製造法に関する。
【背景技術】
【０００２】
従来、使い捨て型のセンサー(特許文献１および特許文献３)としては定量性を確保するために立体構造をとり、さらに毛細管現象(特許文献５および特許文献６)などを利用して試料液が自動的にセンサーの内部に導入する仕組みが知られている(特許文献７)。このような構成のセンサーは、電気絶縁性の基板上に、スペーサー、さらにカバーを積層して組み立てられる。基板上には電極パターン、カバー上には毛細管現象に必要な空気が抜けるために必要な空気孔が開けられている。これらの構成部品は各々所定の形状に予め打ち抜いておく必要があり、また立体加工における各部品の正確な重ねあわせのための位置決めも必要となるため、構成部品の数が増えるに従って立体加工の工程が複雑になる。さらに、これらのセンサーに分子識別素子やメデイエーターなどの試薬の塗布(特許文献２および特許文献４)や妨害物質の影響から回避するための膜(特許文献８)の形成などを必要とする場合は、さらに複雑な工程となるといった問題がある。
【特許文献１】特開昭４７−５００号公報
【特許文献２】特開昭４８−３７１８７号公報
【特許文献３】特開昭５２−１４２５８４号公報
【特許文献４】特開昭５４−５０３９６号公報
【特許文献５】特開昭５６−７９２４２号公報
【特許文献６】特表昭６１−５０２４１９号公報
【特許文献７】特開平１−２９１１５３号公報
【特許文献８】特開平３−２０２７６４号公報
【０００３】
上述した従来のセンサーは製造に多くの工程、材料を要し、複雑な構造をとらざるを得なかった。その結果として、製造ラインに多大な設備投資を必要とし、また製品の歩留まりも充分ではなく、コスト的に負担が大きかった。当然、材料調達時、製造時の環境負荷も大きいものであった。さらに特性上では複雑な工程、特に基板積層時の位置合わせなどのため、製造されたセンサー特性のばらつきの指標である変動係数(CV)も充分ではなかった。また、バイオセンサーの形状変化は測定の精度や再現性の低下を招くため、該バイオセンサーにおいて、製造後、カバー等の反り返りなどが発生しない、長期形状安定性を確保することが求められていた。
【０００４】
上記課題を解決するために、発明者らは先に一枚の電気絶縁性平面硬質基板を折り加工または曲げ加工または折り曲げ加工することにより製造されるバイオセンサーを提案している。このバイオセンサーは一枚の電気絶縁性基板上に電極を形成させ、電極が基板の内側に配置されるように一枚の平面基板を立体的に加工することで電極配置を平面または立体的として、狭小な部位での定量的な測定を可能にするものであり、一枚の平面基板からセンサーの主要構造を構成することに特徴がある。しかるにかかる方法では、折畳み部分の反り返りを防ぐため、折畳み部分へのミシン目の作製、該折畳み部分への固定具の装着や、熱圧着、切断などが必要であった。
【特許文献１６】特開２００５−２３３９１７号公報
【０００５】
図１６を用いて、上記バイオセンサーの問題点について詳しく説明する。a)およびb)は軟質シート１の形状が異なるのみであり、いずれも従来のバイオセンサーの一組立例を示している。i)には、表面に導電体７，７が形成され、折畳み部分となるミシン目１６が設けられた一枚の軟質シート１およびこれに被覆されるレジスト６が示されている。レジスト６は、スペーサー２としても働く。ii)には、表面上にレジスト層が形成された硬質の電気絶縁性基板４および次の組立工程で被覆される接着剤層５が示されている。ここで、接着剤層５はレジスト６と同様にスペーサー２としても働く。iii)では、表面に接着剤層５が形成された基板がミシン目１６に沿って折畳まれ、重なる前の状態を示している。iv)では、硬質な電気絶縁性基板４によって形成された折畳み成形体１４であるバイオセンサー３を示している。この場合、ミシン目を形成する工程が必要となるうえ、ミシン目１６に沿って形成された折畳み部分がレジスト層６や接着剤層５などのスペーサーの厚みによって反り返ることがあるため、この部分に固定具を装着したり、熱圧着により反り返りストレスを除くなどの何らかの処置が必要であった。
【０００６】
以上述べた如く、かかる折畳み式センサーでは製造工程の大幅な簡略化、材料の削減、極めて単純な構造などにより、従来のセンサーの製造法を大いに改善することに成功しているものの、該製造法により形成されたセンサーは、折畳み部分の反り返りを防ぐため、ミシン目の形成、該折畳み部分への固定具の装着や、熱圧着、切断などが必要であった。
【発明の開示】
【発明が解決しようとする課題】
【０００７】
本発明の目的は、従来のセンサーのように製造に多くの工程、材料を要することなく製造が可能なバイオセンサーであって、かつ製造されたバイオセンサーが形状変化を起こさず、さらには試料体積を正確に規定し得るバイオセンサーおよびその製造法を提供することにある。
【課題を解決するための手段】
【０００８】
かかる本発明の目的は、電気絶縁性基板上に電極、スペーサーおよびカバーが順次形成されたバイオセンサーにおいて、電気絶縁性基板部分およびカバー部分が、１枚の軟質シートを、基板形成部およびカバー形成部の間を繋ぐ軟質部を残したうえで、該軟質部以外の基板形成部分およびカバー形成部分について硬化させることにより形成されることを特徴とするバイオセンサーによって達成され、かかるバイオセンサーは、軟質シートの電気絶縁性基板部分およびカバー部分を硬化させた後、電極およびスペーサーを形成し、電極をバイオセンサー内部に収めるように、電気絶縁性基板およびカバーを繋ぐ軟質部で電気絶縁性基板およびカバーを折畳むことにより製造される。
【発明の効果】
【０００９】
本発明に係るバイオセンサーは、電気絶縁性基板およびカバー間に軟質部を設けることにより、該部分で折りたたむことで折畳み部分の反り返りが発生せず、これを防ぐための折畳み部分への固定具の装着や、熱圧着、切断などが必要ないといったすぐれた効果を奏する。
【００１０】
さらに、本発明に係る針一体型バイオセンサーは、折畳み構造のバイオセンサー内に穿刺針を内包固定した場合に、穿刺採血時に絶縁性基板およびカバー間に設けられた軟質部分を穿刺針が突き破り、穿刺後、軟質シート材料の復元力によって穿刺針が元の位置に戻り、その際に新たに形成された試料導入口から採血が導入されることで、血液成分を電気化学的に測定することができる。
【発明を実施するための最良の形態】
【００１１】
電気絶縁性基板およびカバーは、１枚の軟質シートから形成される。軟質シート材料としては、光または熱などにより硬化する電気絶縁性シート材料、例えばビニルエステル、ポリイミドまたはポリエチレンなどが挙げられ、電気絶縁性基板およびカバーは、電気絶縁性基板およびカバー間に軟質部を残した状態で、該軟質部分以外の基板形成部分およびカバー形成部分を光または熱によって硬化させることにより形成される。軟質部には、測定対象試料液を導入するための試料導入口を設けることもできる。
【００１２】
電気絶縁性基板上には、電極が形成される。電極は、スクリーン印刷法、蒸着法、スパッタリング法、箔貼り付け法、メッキ法など公知の方法により形成され、その材料としては、カーボン、銀、銀／塩化銀、白金、金、ニッケル、銅、パラジウム、チタン、イリジウム、鉛、酸化錫、白金黒などが挙げられる。ここで、カーボンとしては、カーボンナノチューブ、カーボンマイクロコイル、カーボンナノホーン、フラーレン、デンドリマーもしくはそれらの誘導体を用いることができる。
【００１３】
電極は、作用極と対極で形成される２極法または作用極と対極、参照極で形成される３極法、あるいはそれ以上の極数の電極法であってもよい。ここで、３極法を採用すると、測定対象物質の電気化学測定の他に、搬送路内に導入される採血の移動速度の計測ができ、これによりヘマトクリット値が測定できる。また、２組以上の電極系で構成されていても良い。これらの電極は、電気絶縁性基板上にまとめて形成することもできるし、電気絶縁性基板およびカバーの各々に形成することもできる。電気絶縁性基板およびカバーの各々に電極を形成した場合には、試料体積の少量化を図ることができる。
【００１４】
電極が形成された基板上には、試薬層(電極反応部)を形成することができる。試薬層はスクリーン印刷法またはデスペンサー法により形成され、この試薬層の電極表面または基板表面への固定化は、乾燥を伴う吸着法または共有結合法により行うことができる。バイオセンサーの電極反応部に配置する試薬としては、例えば血糖値測定用に構成する場合、酸化酵素であるグルコースオキシターゼおよびメディエーターとしてのフェリシアン化カリウムを含むものが挙げられる。試薬が血液によって溶解されると、酵素反応が開始される結果、反応層に共存させているフェリシアン化カリウムが還元され、還元型の電子伝達体であるフェロシアン化カリウムが蓄積される。その量は、基質濃度、すなわち血液中のグルコース濃度に比例する。一定時間蓄積された還元型の電子伝達体は、電気化学反応により酸化される。後述する測定装置本体内の電子回路は、このとき測定される陽極電流から、グルコース濃度(血糖値)を演算・決定し、本体表面に配置された表示部に表示する。
【００１５】
また、採血口の周辺および電極あるいは試薬層(電極反応部)表面に界面活性剤、脂質を塗布することができる。界面活性剤や脂質の塗布により、試料の移動を円滑にさせることが可能となる。
【００１６】
以上の採血が満たされる電極上に試薬層が設けられたバイオセンサーは、採血口から送り込まれる採血が電極上の試薬層と接触することにより、採血と試薬とが反応する。この反応は、電極における電気的な変化としてモニタリングされる。
【００１７】
(試薬層形成)電極は、レジスト層によりその面積を規定することができる。レジスト層は、基板と反応あるいは溶解せず、折畳み時に折畳み部分の反り返りが発生しない程度の軟質な材料からなるもの、例えば紫外線または可視光線硬化型のビニル・アクリル系樹脂、ウレタンアクリレート系樹脂、ポリエステルアクリレート系樹脂、ポリ塩化ビニル、ポリエチレン、ポリエステル、ポリオレフィン、ポリフッ化ビニルなどからなり、その厚みが約5〜500μm、好ましくは約10〜100μmのものが用いられ、スクリーン印刷法などにより形成される。レジストの使用の目的は電極パターンを明確にし、電極面積を規定する以外にも、試薬層が存在しない試料搬送路を絶縁するなどの目的がある。またレジスト層は、後述する穿刺針が設けられた針一体型バイオセンサーにおいて、電極反応層に配置された試薬層との接触を防ぐためにも用いることができる。
【００１８】
基板およびカバーは、アクリル樹脂系接着剤などの接着剤を介して接着されてバイオセンサーを構成する。かかる接着剤層も、スクリーン印刷法により形成することが可能であり、約5〜500μm、好ましくは約10〜100μmの厚さで形成され、かかる接着剤層はレジスト層同様スペーサーとしても作用する。なお、接着剤層中に上記試薬を含有させることもできる。
【００１９】
また、以上の構成よりなるバイオセンサーは、電気絶縁性基板およびカバー間に設けられた軟質部において、電極をバイオセンサー内部に収めるように電気絶縁性基板およびカバーを折畳むことにより形成される。このようなバイオセンサーは、基板およびカバー間に設けられた軟質部に沿って折り畳むため、折畳み部分の反り返りが発生せず、これを防ぐためのミシン目の作製、折畳み部分への固定具の装着や、熱圧着、切断などが必要ないといったすぐれた効果を奏する。
【００２０】
かかるバイオセンサーは、長大な軟質シートの軟質部形成部分以外の硬化を行った後、電極等を多数形成したうえで、基板およびカバー間に設けられた軟質部に沿って折り畳んだ後、センサー形状に打ち抜くことにより、一度に大量のバイオセンサーを製造できる。このような製造方法により作製されるバイオセンサーは、再現性も大変に良くなり、従来の積層法によっては成しえなかった特長を有している。
【００２１】
また、接着剤層上には被検体の皮膚から体液を採取するための穿刺針を配置することもできる。穿刺針としては、被検体を穿刺する必要があるため、これに耐え得る強度を持ち、鋭利であることが望ましく、また穿刺時の痛みを抑えるために、細い穿刺針であることが好ましい。具体的には、テルモ社製で、21〜33ゲージのものが用いられる。穿刺針は被検体の皮膚を突き破ることができれば中空針であっても棒状針でも良い。さらに、穿刺針は使用されるまでバイオセンサー内に衛生的に収納されている必要があることから、抗菌・抗ウィルスに効果がある光触媒機能を針の先端表面に付与させても良い。その場合、酸化チタンまたは二酸化チタンの膜が望ましい。
【００２２】
このような針一体型バイオセンサーは、被検体への穿刺時に、穿刺針が電気絶縁性基板およびカバーをつなぐ軟質部を突き破り、被検体の皮膚を突き刺した後、軟質シート材料の復元力によって穿刺針が被検体の皮膚から引き戻され、そのときに生じた軟質部の貫通穴を通じて体液がバイオセンサーの試料搬送路へと導入される。
【００２３】
ここで、試料搬送路内への試薬層、界面活性剤あるいは脂質の塗布により、その内部に収まる穿刺針が汚染される可能性がある。このような汚染を防ぐためには、穿刺針先端の周囲にこれらの試薬を塗布しないようにするか、あるいはレジスト層または接着剤層によって試料搬送路内の試薬層から隔離することが好ましい。
【００２４】
以上の構成よりなる針一体型バイオセンサーのうちバイオセンサー内部が密閉されているものについては、外気よりも陰圧の条件下、好ましくは真空条件下において製造することにより、センサー内部が陰圧状態で密閉され、穿刺後の試料搬送路内への採血の移動について毛細管現象に加えて、吸引手段を併用することができる。このような構成を採用することにより、採血を円滑に行なうことが可能となる。ここで、穿刺採血口付近に採血導入ガイドを設けることができる。採血導入ガイドの材質としては、例えばゲル、弾性材料、発泡性材料などが挙げられ、レジストと同一素材を用いることもできる。かかる材質よりなる採血導入ガイドは、陰圧を維持するとともに、被検体の皮膚と穿刺採血口との密着性を向上させるといった効果も併せて奏する。
【００２５】
本発明の針一体型バイオセンサーは穿刺駆動を備えた測定装置により穿刺・採血・測定の一連の操作が成されることが望ましい。その場合、例えば穿刺駆動については針がバイオセンサーの軟質材を貫通して被検体の皮膚を突き破る機構と、穿刺直後、速やかに元の位置に戻る機構を備えていることが望ましい。
【００２６】
測定装置の構造上の特徴の一例を述べる。本測定装置は穿刺針駆動部と測定装置部が一体化しており、穿刺針駆動部は引き金部、穿刺開始ボタン部、バネなどの弾性体による駆動部から構成される。一方、測定装置部については、センサー導入部、コネクター、電気化学測定用回路、メモリ部、操作パネル、バイオセンサーの電極における電気的な値を計測する計測部および計測部における計測値を表示する表示部を基本構成としており、さらに、無線手段として電波、例えばブルートゥース(登録商標)を搭載することもできる。かかるスライド構造により、針一体型バイオセンサーを確実にホールドした状態を保ったまま穿刺駆動を受けるので、測定装置全体としての強度を高めることができる。測定装置には、さらに針一体型バイオセンサーの穿刺針を中心線とした左右非対称構造を測定用端子の突出部で認識できる機構を備えることができる。
【００２７】
測定装置の穿刺駆動は、針一体型バイオセンサー上部を鉛直方向にたたいた後、速やかに戻る機構がよく、さらに被検体の皮膚を穿刺する深度が調節可能な機構を有することが好ましい。
【００２８】
測定装置には糖尿病疾患による視覚障害に対応した音声ガイド機能及び音声認識機能、電波時計の内臓による測定データ管理機能、測定データなどの医療機関などへの通信機能、充電機能などを併せ持たせることができる。
【００２９】
測定装置の計測部における計測方法としては、特に限定はしないがポテンシャルステップクロノアンペロメトリー法、クーロメトリー法またはサイクリックボルタンメトリー法などを用いることができる。
【００３０】
以上より、本発明の針一体型バイオセンサーは、使用者を限定することのない、すなわち、ユニバーサルな規格に対応し得るものとなっている。
【実施例】
【００３１】
本発明による実施態様の針一体型バイオセンサーについて、それぞれ図面を参照しながら詳細に説明するが、本発明はその要旨を超えない限り以下の実施例に制限されるものではない。
【００３２】
図１は、本発明に係るバイオセンサーの一組立例を示す図である。a)は光硬化型の軟質シート１に、電気絶縁性基板およびカバー部を繋ぐ部分を予め遮光板４４で保護したうえで、光４１を照射して電気絶縁性基板部分およびカバー部分を硬化させる様子を示している。b)は光４１の照射によって硬化した軟質シート硬化部４３の一方に、導電体７が設けられた状態を示している。遮光板４４によって光４１照射を受けなかった軟質シート部分は軟質部４２となっている。また、導電体７が形成された軟質シートの硬化部４３の上方にレジスト６のパターンが示されている。c)は導電体７，７上にレジスト６が設けられた状態が示され、d)では接着剤層５のパターンがレジスト層６の表面に設けられている。ここで、レジスト層６および接着剤層５は試料搬送路および電極反応部を形成するためのスペーサー２としても働く。軟質シート１の導電体等が形成されない硬化部４３はカバー部分となり、２箇所の硬化部４３の間が折りたたみに必要な軟質部４２となって該接着剤層５に折り重なることで、e)に示すバイオセンサー３を形成する。このときカバー部分は、導電体７が形成された基板よりも短い長さで重なり合うことで、バイオセンサーの右端には端子部１１が形成される。さらに、ここに示されているA-A'断面およびB-B'断面はそれぞれf)およびg)に示されている。f)に示されるように、軟質シート１に折畳まれた内部のレジスト６および接着剤層５の空きスペースに電極１０の反応層１３および試料搬送路８が設けられている。またg)では、軟質シート１，１間に、導電体７およびレジスト層６、接着剤層５が積層されている様子が示されている。このような構成により形成されるバイオセンサー３であれば、従来例で示した如く、硬質な基板の折畳みに必要とされるミシン目などの形成が不要であるといったすぐれた効果を奏する。この図では、光硬化型の軟質シートを使用例を示したが、熱硬化型の軟質シートを用い、電気絶縁性基板部分およびカバー部分のみを熱によって硬化させることもできる。
【００３３】
図２は、本発明にかかる針一体型バイオセンサーの一製造例を示す図である。a)は図１と同様にの手法により光硬化型の軟質シートに予め光硬化処理を施した軟質シート１の一方の表面上に導電体７，７が６組形成され、またレジスト６のパターンが示されている。b)は導電体を形成した一方の硬化部４３上にレジスト６が設けられた状態がi)正面図およびii)背面図でそれぞれ示され、c)では接着剤層５のパターンがレジスト層６の表面に設けられている様子がi)正面図およびii)背面図でそれぞれ示している。ここで、レジスト層６および接着剤層５は試料搬送路および電極反応部を形成するためのスペーサー２としても設けられている。d)では、穿刺針２０を配置させてから、２箇所の硬化基板部４３の間が折畳みに必要な軟質部４２となって硬化基板部４３同士が重なり合うことで、e)に示す針一体型バイオセンサー単位４０を形成する。この際、バイオセンサー内部を陰圧とするために、陰圧または真空の雰囲気下で、軟質部４２での折畳みが行われる。ここではすでに針一体型バイオセンサー単位４０が個々に分断されている状態がi)正面図およびii)背面図でそれぞれ示されている。さらに、e)では穿刺によって得た採血を無駄なくセンサー内に導入するために採血導入ガイド３６が設けられている。f)では分断後の各針一体型バイオセンサー単位４０を示し、これらのA-A’断面およびB-B’断面は、それぞれg)およびh)に示されている。g)では軟質シート１に折畳まれた内部のレジスト６および接着剤層５の空きスペースに電極１０の反応層１３および試料搬送路８が設けられている他、内部を真空に保つための空間２６が設けられ、電極反応部１３とは通気フィルター２５で仕切られている。h)で示した断面には軟質シート１に折畳まれた内部の導電体７、レジスト層６および接着剤層５が積層されてと穿刺針の支持体１９が接着剤層５内に固定されており、この部分には空間がない。このような構成により形成される針一体型バイオセンサー２９であると、図１と同様に硬質な基板の折畳みに必要とされるミシン目などの形成が不要であるといったすぐれた効果を奏する。さらに、電気絶縁性基板およびカバーを繋ぐ部分が軟質基板であるために、バイオセンサーの内部に格納されている穿刺針が使用時に容易に該基板を突き抜け、非検体の皮膚を穿刺することができるといった特徴も有している。また図１と同様に、光硬化型の軟質シートの代わりに熱硬化型の軟質シートを用い、電気絶縁性基板部分およびカバー部分のみを熱によって硬化させることもできる。
【００３４】
図３は、図２で示した針一体型バイオセンサーの一使用例を示す。a)には被検体の皮膚２７に針一体型バイオセンサー２９が穿刺する前の状態を示している。このとき、センサー内部は真空空間２６の存在により外圧に対して陰圧に保たれている。b)は針一体型バイオセンサー２９内に収められていた穿刺針２０が軟質シート１の軟質部４２と皮膚２７を突き破った状態を示している。このとき採血導入ガイド３６は皮膚２７と密着することができる。この後、穿刺針は軟質シート材料の復元力によって被検体の皮膚から引き戻され、そのときに生じた軟質部４２の貫通穴３７を通じて採血２４がバイオセンサーの試料搬送路へと導入される。この状態がc)に示されており、貫通穴３７は採血２４をセンサー内部へと送り込むための穿刺採血口３２となっている。採血は採血導入ガイド３６の存在とセンサー内部の真空状態の解除により円滑に行われる。採決後、血液成分の測定が行われている様子を図d)に示す。この状態では疎水性通気フィルター２５の存在により、センサー内に搬送された採血は電極反応部１３より奥にある空間２６には送液されない。
【産業上の利用可能性】
【００３５】
本発明にかかるバイオセンサーは、各種液体の成分濃度を、酵素などを利用して電気化学的に測定する、家庭内自己診断用の血糖計、尿糖計、糖化ヘモグロビン計、乳酸計、コレステロール計、尿酸計、タンパク質計、一塩基多型センサー、遺伝子診断に用いられるDNAチップ、他にアルコール計、グルタミン酸計、ピルビン酸計、pH計などに用いられるバイオセンサーとして有効に用いられる。
【図面の簡単な説明】
【００３６】
【図１】本発明に係るバイオセンサーの一組立例を示す図である。
【図２】本発明に係る針一体型バイオセンサーの一製造例を示す図である。
【図３】図２に示した針一体型バイオセンサーの一使用例を示す図である。
【図４】従来のバイオセンサーの一組立例を示す図である。
【符号の説明】
【００３７】
１      軟質シート
２      スペーサー
３      バイオセンサー
４      硬質基板
５      接着剤層
６      レジスト層
７      導電体
８      試料搬送路
９      試料導入口
１０    電極
１１    端子
１２    空気排出口
１３    電極反応部（試薬層）
１４    折畳み成形体
１５    カバー
１６    ミシン目
１９    穿刺針支持体
２０    穿刺針
２４    採血
２５    通気フィルター
２６    真空空間
２７    皮膚
２８    開放空間
２９    針一体型バイオセンサー
３２    穿刺採血口
３３    穿刺針部
３６    採血導入ガイド
３７    貫通穴
３８    採血導入ガイド形成鋳型
４０    針一体型バイオセンサー単位
４１    光
４２    軟質部
４３    硬化部
４４    遮光板
【図１】
0004635260.tif 000002
【図２】
0004635260.tif 000003
【図３】
0004635260.tif 000004
【図４】
0004635260.tif 000005